(57)【要約】【課題】  単に昇降するだけの機能ではなく、くつろぎの空間として使用することができる階段を、無駄無く構成することができる階段構造を提供する。【解決手段】踊り場２０を有する階段２が、住宅建物１０内の居間１１ａに面して設けられ、この階段２の踊り場２０の１辺にソファ３が設けられた階段構造１である。階段２の手摺り４が透明体４１で支承され、踊り場２０から透明体４１を介して居間１１ａを見通せるようになされた階段構造１である。段板２３、踊り場２０、およびソファ３が着脱可能な化粧材２３ｂ，２０ｂによって被覆されてなる階段構造１である。【選択図】  図１
2010121326.tif 000002
【特許請求の範囲】
【請求項１】
踊り場を有する階段が、住宅建物内の居室に面して設けられ、この階段の踊り場の１辺にソファが設けられたことを特徴とする階段構造。
【請求項２】
階段の手摺りが透明体で支承され、踊り場から透明体を介して居室を見通せるようになされた請求項１記載の階段構造。
【請求項３】
段板、踊り場、およびソファが着脱可能な化粧材によって被覆されてなる請求項１または２記載の階段構造。
【発明の詳細な説明】
【技術分野】
【０００１】
本発明は、住宅建物内の居室に面して設けられる階段構造に関するものである。
【背景技術】
【０００２】
一般に、住宅建物の階段は、異なった階層間をつなぐために必要不可欠なものとして、いかに安全に、少ない負担で昇降できるかが求められる。そのため、勾配をできるだけゆるくすることで、安全性を高めることができるが、反面、階段の占めるスペースが大きくなり、他の用途に使われるスペースは犠牲になる。つまり、階段は、単なる上下階移動の手段であるから、できるだけスペースは小さくしながら安全性を高めるといった、相反する要素を追求する必要がある。
【０００３】
そこで、従来より、このような階段の占めるスペースを有効活用するものとして、階段上り口のスペースを拡張し、この階段下の空間をコミュニティの場として利用するようになされたものが提案されている（例えば、特許文献１参照）。
【特許文献１】特開平１０−３１１１２６号公報
【発明の開示】
【発明が解決しようとする課題】
【０００４】
しかし、上記従来の階段構造の場合、階段下の空間は、上り口を拡張するための充分なスペースが必要となるといった不都合を生じることとなる。
【０００５】
また、階段の下の部分がコミュニティの場と一体化しているだけで、階段そのものは単に上下階移動の手段に過ぎないため、くつろぎの空間としては不十分であるといった不都合を生じることとなる。
【０００６】
さらに、安全を考慮して勾配をゆるやかにしたり、踊り場を形成したりした場合、階段の上り口を拡張するスペースに加えてさらにスペースが必要となるといった不都合を生じることとなる。
【０００７】
本発明は係る実情に鑑みてなされたものであって、単に昇降するだけの機能ではなく、くつろぎの空間として使用することができる階段を、無駄無く構成することができる階段構造を提供することを目的としている。
【課題を解決するための手段】
【０００８】
上記課題を解決するための本発明の階段構造は、踊り場を有する階段が、住宅建物内の居室に面して設けられ、この階段の踊り場の１辺にソファが設けられたものである。
【０００９】
また、階段の手摺りが透明体で支承され、踊り場から透明体を介して居室を見通せるようになされたものである。
【００１０】
さらに、段板、踊り場、およびソファが着脱可能な化粧材によって被覆されてなるものである。
【発明の効果】
【００１１】
以上述べたように、本発明によると、階段の踊り場をくつろぎの場として使用することができる。
【００１２】
また、階段の手摺りを透明体で支承し、踊り場から透明体を介して居室を見通せるようにすることで、踊り場に居ながら居室で過ごしているのと同等の解放感が得られる。
【００１３】
さらに、踊り場にくつろぎの場が形成されることにより、階段を昇降する際に休憩することもでき、高齢者が昇降する場合であっても安全に昇降することができる。
【発明を実施するための最良の形態】
【００１４】
以下、本発明の実施の形態を図面を参照して説明する。
【００１５】
図１は階段構造１の全体構成の概略を示し、図２は同階段構造１の踊り場２０部分の断面を示し、図３は同階段構造１を用いた住宅建物１０の間取りを示している。
【００１６】
すなわち、この階段構造１は、踊り場２０を有する階段２が、住宅建物１０内の一階１１の居間１１ａに面して設けられ、この階段２の踊り場２０の１辺にソファ３が設けられている。
【００１７】
階段２は、下階段２１と上階段２２とを踊り場２０でつなぐ折れ階段を形成するようになされている。下階段２１は、一階１１の居間１１ａから９枚の段板２３を設けて構成されており、１０段目は踊り場２０を形成するようになされている。この踊り場は約１０００ｍｍ×１０００ｍｍに形成されている。この踊り場２０は、下階段２１が設けられた辺に隣接する辺から上階段２２が設けられている。上階段２２は、４枚の段板２３を設けて構成されており、５段目が二階１２の廊下１２ａとなされている。
【００１８】
ソファ３は踊り場２０の上階段２２に隣接し、下階段２１と対向する辺に面して設けられる。このソファ３は、座面の高さが踊り場２０から約４００ｍｍ、奥行き約９００ｍｍ、幅約１５００ｍｍとなされており、上階段２２と対向する辺に沿って設けられている。したがって、踊り場の幅の１０００ｍｍから約５００ｍｍはみ出した部分は、上階段２２に隣接するようになされている。また、このソファ３の上階段２２側の端部には、二階１２の廊下１２ａと同高さとなるように肘掛を兼用する棚３１が設けられている。このソファ３の大きさとしては、特に限定されるものではないが、大きくなりすぎると、本願発明の階段構造１に要するスペースが、通常の階段に要するスペースからかけ離れ過ぎて中二階を形成するほどの空間が必要になってしまう。したがって、このソファ３の大きさとしては、踊り場２０の面積の０．５〜３倍、好ましくは１〜２倍である。踊り場２０とソファ３との合計で２ｍ2 〜５ｍ2 、好ましくは３ｍ2 〜４ｍ2 である。
【００１９】
階段２の手摺り４は、下階段２１の両側と上階段２２の両側とに設けられている。踊り場２０は、上階段２２と対向する辺と、この辺に隣接するソファ３の部分とのみに手摺り４が設けられている。この手摺り４は、厚さ約１０ｍｍの強化ガラス４１によって支持されている。したがって、踊り場２０のソファ３でくつろいでいる状態で、この強化ガラス４１を介して一階１１の居間１１ａを見通すことができる。なお、この手摺り４は、強化ガラス４１によって支持するようになされているが、この強化ガラス４１以外に、ポリカーボネートやその他の透明樹脂などで形成された透明体を用いるものであってもよい。また、このような透明体をソファ３や踊り場２０の部分に用いて下階段２１や上階段２２の部分には通常の手すり壁（図示省略）や手摺り受け（図示省略）を設けるものであってもよい。
【００２０】
また、図２に示すように、階段２を構成する下階段２１および上階段２２の各段板２３は、その基材２３ａの表面に人工皮革や合成皮革などの化粧材２３ｂを被覆して構成されている。これら段板２３と同様に、踊り場２０も、その記載２０ａの表面に化粧材２０ｂを被覆して構成されている。これら段板２３および踊り場２０の基材２３ａ，２０ａ表面に被覆された化粧材２３ｂ，２０ｂは、ソファ３の表面に被覆されている化粧材と同じものが用いられている。
【００２１】
この階段構造１によると、踊り場２０に、さらにソファ３を設けているので、階段２の踊り場２０をくつろぎの場として使用することができる。また、この踊り場２０は階段２の途中に設けているので、階段２を昇降する際に休憩することもでき、高齢者も安全に昇降することができる。しかも、この階段構造１は、踊り場２０の１辺にソファ３を設けただけで、階段２の設置スペースとしてはソファ３の分だけが増える程度なので、容易に設計、施行することができる。
【００２２】
また、階段２の手摺り４を透明な強化ガラス４１によって支承しているので、踊り場２０およびソファ３からは、強化ガラス４１を介して居間１１ａを見通せることとなり、踊り場２０に居ながら居間１１ａで過ごしているのと同等の解放感を得ることができる。
【００２３】
なお、本実施の形態において、階段２は、９枚の段板２３を設けた下階段２１と、４枚の段板２３を設けた上階段２２との間に踊り場２０を設けているが、この踊り場２０の位置としては、特にこのような位置に限定されるものではなく、下階段２１と上階段２２とを同じ長さにして一階１１と二階１２との略中間位置に踊り場２０を設けるものであってもよいし、下階段２１よりも上階段２２を長く形成して一階１１寄りの位置に踊り場２０を設けるものであってもよい。
【００２４】
また、本実施の形態において、階段構造１は、一階１１の居間１１ａと二階１２の廊下１２ａとに連通しているが、どの居室と連通するかについては、特に限定されるものではなく、一階１１で廊下（図示省略）と連通し、二階１２で居間（図示省略）と連通するものであってもよい。また、階段構造１は、一階１１、二階１２ともに廊下に連通させるものであってもよいし、ともに居間に連通させるものであってもよいし、キッチン、ダイニング、和室と連通するものであってもよい。。
【００２５】
さらに、本実施の形態において、ソファ３は、二階１２の廊下１２ａとの間に、肘掛を兼用する棚３１が設けられているが、図４に示すように、この棚３１に相当する部分が吹抜け３２になったものであっても良いし、図５に示すように、この棚３１に相当する部分も全てソファ３となったものであっても良い。
【００２６】
さらに、本実施の形態において、階段２は、折れ階段で構成されているが、この階段２としては、踊り場２０を有していれば特にその形状としては、限定されるものではなく、例えば図６に示すように、直階段２であってもよく、図７に示すように、全折れ階段２であってもよい。
【００２７】
図４ないし図７において、図１ないし図３と同部材には同符号を付して説明を省略する。
【産業上の利用可能性】
【００２８】
本発明に係る階段構造は、住宅建物の階段に使用される。
【図面の簡単な説明】
【００２９】
【図１】（ａ）は本発明に係る階段構造の全体構成の概略を示す斜視図、同図（ｂ）は平面図である。
【図２】図１（ｂ）におけるII−II線断面図である。
【図３】（ａ）は本発明に係る階段構造を設けた住宅建物の一階間取り図、同図（ｂ）は二階間取り図である。
【図４】（ａ）は本発明に係る階段構造の他の実施の形態を示す斜視図、同図（ｂ）は平面図である。
【図５】（ａ）は本発明に係る階段構造のさらに他の実施の形態を示す斜視図、同図（ｂ）は平面図である。
【図６】（ａ）は本発明に係る階段構造のさらに他の実施の形態を示す斜視図、同図（ｂ）は平面図である。
【図７】（ａ）は本発明に係る階段構造のさらに他の実施の形態を示す斜視図、同図（ｂ）は平面図である。
【符号の説明】
【００３０】
１  階段構造
１０  住宅建物
１１ａ  居間（居室）
１２ａ  廊下（居室）
２  階段
２０  踊り場
２０ｂ  化粧材
２３  段板
２３ｂ  化粧材
３  ソファ
４  手摺り
４１  強化ガラス（透明体）
【図１】
2010121326.tif 000003
【図２】
2010121326.tif 000004
【図３】
2010121326.tif 000005
【図４】
2010121326.tif 000006
【図５】
2010121326.tif 000007
【図６】
2010121326.tif 000008
【図７】
2010121326.tif 000009